(57)【要約】【課題】蒸発器から未蒸発の状態で流出する液冷媒を庫内側で気液分離して回収した上で、その液冷媒の保有する熱量を商品収納室の冷却に消費してエネルギーロスを低減し、液バックの防止と併せて冷凍機の運転効率向上を図る。【解決手段】商品貯蔵庫１を複数の商品収納室４Ａ〜４Ｃに仕切り、各室内に蒸発器８Ａ〜８Ｃを配して庫内を保冷する自動販売機の庫内冷却装置であり、各蒸発器をコンデンシングユニットに並列接続して冷凍サイクルを構成し、各室でのホット／コールド販売モードに合わせてコンデンシングユニットから蒸発器に冷媒を供給制御するようにしたものにおいて、コンデンシングユニットの圧縮機１１に対する液バック防止手段として、各室の蒸発器と圧縮機との間の吸入管路１７に介挿したサクションアキュームレータ１９Ａ〜１９Ｃを庫内側に配置し、ここで気液分離した未蒸発冷媒を庫内空気と熱交換させて庫内を冷却する。【選択図】      図１
2004280753.tif 000002
【特許請求の範囲】
【請求項１】
商品貯蔵庫の庫内を複数の商品収納室に仕切り、各商品収納室ごとに冷凍機の蒸発器とファンを組み合わせた冷却ユニットを配備して室内の収納商品を保冷する自動販売機の庫内冷却装置であり、各商品収納室に配した蒸発器を庫外側に配置した冷凍機のコンデンシングユニットに並列接続して冷凍サイクルを構成し、各商品収納室の販売モードに合わせてコンデンシングユニットから電磁弁，キャピラリチューブを経て蒸発器に冷媒を供給するようにしたものにおいて、
前記コンデンシングユニットの圧縮機に対する液バック防止手段として、各商品収納室の蒸発器と圧縮機との間に配管した冷媒吸入管路にサクションアキュームレータを介挿接続した上で、該アキュームレータを商品貯蔵庫の庫内側に配置したことを特徴とする自動販売機の庫内冷却装置。
【請求項２】
請求項１に記載の庫内冷却装置において、商品貯蔵庫の各商品収納室ごとに、その室内にサクションアキュームレータを配置して蒸発器に接続したことを特徴とする自動販売機の庫内冷却装置。
【請求項３】
請求項１に記載の庫内冷却装置において、１基のサクションアキュームレータをコールド専用の商品収納室内に配置した上で、各商品収納室の蒸発器から引出した冷媒吸入管を一括して前記アキュームレータに接続したことを特徴とする自動販売機の庫内冷却装置。
【請求項４】
商品貯蔵庫の庫内を複数の商品収納室に仕切り、各商品収納室ごとに冷凍機の蒸発器とファンを組み合わせた冷却ユニットを配備して室内の収納商品を保冷する自動販売機の庫内冷却装置であり、各商品収納室に配した蒸発器を庫外側に配置した冷凍機のコンデンシングユニットに並列接続して冷凍サイクルを構成し、各商品収納室の販売モードに合わせてコンデンシングユニットから電磁弁，キャピラリチューブを経て蒸発器に冷媒を供給するようにしたものにおいて、
前記コンデンシングユニットの圧縮機に対する液バック防止手段として、庫外側に配置して圧縮機の吸入管路に接続した第１のサクションアキュームレータと、該アキュームレータとは別に前記商品収納室のいずれかの室内に配置してその室内の蒸発器に接続した第２のサクションアキュームレータを備えたことを特徴とする自動販売機の庫内冷却装置。
【請求項５】
請求項４に記載の庫内冷却装置において、第２のサクションアキュームレータを、販売モードの切換えに伴う負荷変動が大きい特定の商品収納室に配置したことを特徴とする自動販売機の庫内冷却装置。
【請求項６】
請求項５に記載の庫内冷却装置において、第２のサクションアキュームレータを配置した特定の商品収納室が、左右両隣の商品収納室の間に挟まれて仕切られた中室であることを特徴とする自動販売機の庫内冷却装置。
【請求項７】
請求項１ないし６のいずれかの項に記載の庫内冷却装置において、庫内側に配置したサクションアキュームレータのシェル外周面に熱交換を促進するフィンを設けたことを特徴とする自動販売機の庫内冷却装置。
【請求項８】
請求項１ないし６のいずれかの項に記載の庫内冷却装置において、庫内側のサクションアキュームレータを、商品収納室内の冷却ユニットと組み合わせて庫内空気の通風路に配置したことを特徴とする自動販売機の庫内冷却装置。
【請求項９】
請求項８に記載の庫内冷却装置において、サクションアキュームレータを冷却ユニットの風胴内に組み込んで蒸発器の空気流入側に配置したことを特徴とする自動販売機の庫内冷却装置。
【発明の詳細な説明】
【０００１】
【発明の属する技術分野】
本発明は缶，びん商品などを販売する自動販売機を実施対象とした自動販売機の庫内冷却装置に関する。
【０００２】
【従来の技術】
良く知られているように、頭記の自動販売機は、商品貯蔵庫の庫内を複数の商品収納室に仕切り、その商品収納室内には冷凍機の蒸発器と庫内ファンを組み合わせた冷却ユニット、もしくは蒸発器，庫内ファンにヒータ追加した冷却・加熱ユニットを配備し、販売モードに合わせて各室内の商品収納ラックに収納した商品を保冷，ないし加温してホット商品，コールド商品を販売するホット・アンド・コールド自動販売機が一般的である（例えば、特許文献１参照。）。
次に、自動販売機およびその庫内冷却装置の従来構成を図９，図１０に示す。まず、図９において、１は断熱筐体になる自動販売機の商品貯蔵庫、２は前面外扉、３は断熱内扉であり、商品貯蔵庫１はその庫内を仕切壁で左右に並ぶ複数（図示例では３室）の商品収納室４Ａ，４Ｂ，４Ｃに仕切った上で、各商品収納室内には商品収納ラック５（例えばサーペンタイン式商品収納ラック）を搭載し、販売指令に基づき商品収納ラック５から払出した商品を、シュータ６を経て外扉２に備えた商品取出口７に搬出するようにしている。
【０００３】
ここで、前記の商品収納室４Ａ，４Ｂ，４Ｃについて、例えば商品収納室４Ａをコールド専用，商品収納室４Ｂ，４Ｃをコールド／ホット用として、商品収納４Ａの室内底部に冷凍機の蒸発器８，ファン９を組み合わせた冷却ユニット１０を、商品収納室４Ｂ，４Ｃには前記冷却ユニットにヒータを追加した冷却・加熱ユニットを配備し、また商品貯蔵庫１の庫外底部には圧縮機１１，凝縮器１２，庫外ファン１３を組み合わせた冷凍機のコンデンシングユニット１４を搭載しており、後記のようにコールド商品，ホット商品の販売モードに合わせて商品収納室の庫内に循環送風する空気を冷却，ないし加熱して商品収納ラック５に収納した商品を販売適温に保冷，ないし加温するようにしている。
【０００４】
次に、前記した庫内冷却装置の冷凍サイクル図を図１０に示す。図において、８Ａ，８Ｂ，８Ｃは商品収納室４Ａ，４Ｂ，４Ｃの庫内に配置した蒸発器であり、それぞれの蒸発器が電磁弁１５Ａ．１５Ｂ，１５Ｃ，およびキャピラリチューブ１６を介してコンデンシングユニットの冷媒配管路に並列接続して冷凍サイクルを構成している。なお、コンデンシングユニットの圧縮機１１，凝縮器１２は、商品収納室４Ａ，４Ｂ，４Ｃの最大冷凍負荷に対応した能力を持つように設計されている。
また、圧縮機１１を液バックから保護する目的で、蒸発器８Ａ，８Ｂ，８Ｃから圧縮機１１に戻る吸入管路１７にサクションアキュームレータ１８を接続し、図９のようにコンデンシングユニット１４と一緒に庫外側に配置している。なお、サクションアキュームレータの機能は周知あり、蒸発器から未蒸発の状態で吸入管路に戻ってきた液冷媒はアキュームレータのシェル内で気液分離され、冷媒ガスのみが吸入管路１７を通じて圧縮機１１に吸入される。また、アキュームレータでの気液分離によりシェル内に溜まった液冷媒は周囲空気との熱交換により気化し、ガスとなって圧縮機１１に吸入される。
【０００５】
ここで、各商品収納室４Ａ，４Ｂ，４Ｃに備えた冷却ユニット，冷却・加熱ユニットの運転モードについて、コールド運転をＣ，ホット運転をＨとして、Ｃ−Ｃ−Ｃ運転モードでは電磁弁１５Ａ．１５Ｂ，１５Ｃを開き（ＯＮ）、コンデンシングユニット１２から冷媒を各蒸発器８Ａ，８Ｂ，８Ｃに供給する。この運転状態で、各個の商品収納室の庫内温度が設定温度以下に低下すると、庫内温度センサの検出信号を基に電磁弁を閉じて（ＯＦＦ）その商品収納室の蒸発器への冷媒供給を停止し、全ての商品収納室の庫内温度が設定温度以下になれば、圧縮機１１の運転を停止する。また、商品収納室４Ａ（コールド専用室）および４Ｂをコールド運転，商品収納室４Ｃをホット運転とするＣ−Ｃ−Ｈ運転モードでは、電磁弁１５Ａ，１５Ｂを開，電磁弁１５Ｃは閉として圧縮機１１を運転制御し、商品収納室４Ｃでは冷却・加熱ユニットのヒータに通電して庫内を加温する。
【０００６】
【特許文献１】
特開２０００−３１０４５１号公報
【０００７】
【発明が解決しようとする課題】
前記のように商品貯蔵庫を複数の商品収納室４Ａ  ３４Ｃに仕切った上で、各室に配置した蒸発器１５Ａ〜１５Ｃを１基のコンデンシングユニットに並列接続して冷却運転を行う自動販売機の庫内冷却装置では、各商品収納室での販売モードの切換え，庫内温度の変動などの運転条件により冷凍負荷が変化し、特にＣ−Ｈ−Ｈ運転モードのように１室のみのールド運転するモードでは冷凍負荷に対して圧縮機１１の能力が過剰となり、蒸発器から冷媒の一部は未蒸発のまま冷媒液の状態でコンデンシングユニットに戻るようになる。また、Ｃ−Ｃ−Ｃ運転モードでは、左右の商品収納室４Ａと４Ｃの間に挟まれた中央の商品収納室（中室）４Ｂ（図９（ａ）  参照）は、仕切壁を介して左右の室４Ａ，４Ｃからも冷却されることから冷凍負荷が低くなり、そのために中室に配置した蒸発器１５Ｂから未蒸発の冷媒液が戻り易くなる。
【０００８】
かかる点、図１０で述べたように従来の庫内冷却装置では、圧縮機１１の吸入側にサクションアキュームレータ１８を設け、蒸発器から戻る未蒸発冷媒をアキュームレータ１８により気液分離して圧縮機１１を液バックから保護するようにしているものの、冷凍機の運転効率面では次記のような課題が残る。
すなわち、従来の構成では、サクションアキュームレータ１８を庫外側に配置している。このために、アキュームレータで気液分離され、そのシェル内に寝込んだ液冷媒の持つ熱量（冷熱）は庫内の冷却には全く利用されずに周囲に捨てられてしまい、これがエネルギーロスとなって冷凍機の運転効率が低下する。
【０００９】
本発明は上記の点に鑑みなされたものであり、その目的は前記課題を解決し、蒸発器から未蒸発の状態で流出する液冷媒を庫内側で気液分離して回収した上で、その液冷媒の保有する熱量（冷熱）を商品収納室の冷却に消費し、これにより液バックの防止と併せて冷凍機の運転効率の向上化が図れるように改良した自動販売機の庫内冷却装置を提供することにある。
【００１０】
【課題を解決するための手段】
上記目的を達成するために、本発明によれば、商品貯蔵庫の庫内を複数の商品収納室に仕切り、各商品収納室ごとに冷凍機の蒸発器とファンを組み合わせた冷却ユニットを配備して室内の収納商品を保冷する自動販売機の庫内冷却装置であり、各商品収納室に配した蒸発器を庫外側に配置した冷凍機のコンデンシングユニットに並列接続して冷凍サイクルを構成し、各商品収納室の販売モードに合わせてコンデンシングユニットから電磁弁，キャピラリチューブを経て蒸発器に冷媒を供給するようにしたものにおいて、
第１の発明では、前記コンデンシングユニットの圧縮機に対する液バック防止手段として、各商品収納室の蒸発器と圧縮機との間に配管した冷媒吸入管路にサクションアキュームレータを介挿接続した上で、該アキュームレータを商品貯蔵庫の庫内側に配置し、ここで気液分離した液冷媒の保有熱（冷熱）を庫内空気との熱交換により回収してエネルギーロスを低減し、併せて未蒸発の液冷媒が圧縮機に吸入される液バックを防止するものとし（請求項１）、具体的な態様として次記のような構成で実現できる。
【００１１】
（１）  商品貯蔵庫の各商品収納室ごとに、その室内にサクションアキュームレータを配置して蒸発器に接続する（請求項２）。
（２）  １基のサクションアキュームレータをコールド専用の商品収納室内に配置した上で、各商品収納室の蒸発器から引出した冷媒吸入管を一括して前記アキュームレータに接続する（請求項３）
また、本発明の第２の発明では、前記コンデンシングユニットの圧縮機に対する液バック防止手段として、庫外側に配置して圧縮機の吸入管路に接続した第１のサクションアキュームレータと、該アキュームレータとは別に前記商品収納室のいずれかの室内に配置してその室内の蒸発器に接続した第２のサクションアキュームレータを備え、この第２のサクションアキュームレータでエネルギーの回収を行って冷凍機の運転効率の向上を図るようにする（請求項４）。
【００１２】
この場合に、コスト面から少数のアキュームレータを有効に使って運転効率を高めるために、前記した第２のサクションアキュームレータは、販売モードの切換えに伴う負荷変動が大きな商品収納室、つまり圧縮機の能力過剰から未蒸発の冷媒が生じ易い特定の商品収納室に配置する（請求項５）ものとし、具体的には商品貯蔵庫内で左右両隣の商品収納室の間に挟まれて仕切られた中室を特定の商品収納室として、その室内に第２のサクションアキュームレータを配置する（請求項６）がよい。
また、庫内側に配置した前記のサクションアキュームレータについて、庫内側での熱回収を効率よく行うために、サクションアキュームレータのシェル外周面にフィンを設け（請求項７）、庫内空気との熱交換を促進させるようにするがよい。さらに、庫内におけるサクションアキュームレータの設置箇所については、商品収納室内の冷却ユニットと組み合わせて庫内空気の通風路に配置するようにし（請求項８）、ここでサクションアキュームレータを冷却ユニットの風胴内に組み込んで蒸発器の空気流入側（商品収納室内を循環し昇温した空気が還流する）に配置するのが好ましい。
【００１３】
【発明の実施の形態】
以下、本発明の実施の形態を図１〜図８に示す実施例に基づいて説明する。なお、各実施例の図中で図９，図１０に対応する部材には同じ符号を付してその説明は省略する。
〔実施例１〕
図１，図２は本発明の請求項１，２に対応する実施例の庫内冷却装置の冷凍サイクル，および自動販売機の構成図である。
この実施例において、自動販売機の構成および庫内冷却装置は基本的に図９，図１０に示したものと同様であるが、従来の構成で庫外のコンデンシングユニット１４に装備したサクションアキュームレータ１８を排除し、その代わりに商品貯蔵庫１の庫内に画成した商品収納室４Ａ，４Ｂ，４Ｃの各室内に分けてサクションアキュームレータ１９Ａ，１９Ｂ，１９Ｃを配置し、このアキュームレータをそれぞれ室内の冷却ユニット１０に備えた蒸発器８Ａ，８Ｂ，８Ｃから引出した下流側の吸入管に介挿接続している。
【００１４】
上記構成において、運転モードをＣ−Ｃ−ＣからＣ−Ｈ−Ｈに切換えるなどした冷凍機の運転条件によって先記のように蒸発器から未蒸発の液冷媒が戻るようになっても、その冷媒液は蒸発器に後続したサクションアキュームレータ１９で気液分離され、ガス冷媒のみが吸入管路１７を通じて圧縮機１１に吸入されるので、図１０のサクションアキュームレータ１８と同様に液バックを防止できる。しかも、この実施例ではサクションアキュームレータ１９を商品収納室の室内に配置したことにより、アキュームレータで気液分離された液冷媒はシェル壁を通じて庫内空気と熱交換して蒸発し、その気化潜熱で庫内を冷却するとともに、気化したガス冷媒は圧縮機１１に吸入される。
【００１５】
これにより、圧縮機１１への液バックを防止するサクションアキュームレータ本来の機能を確保しつつ、しかも従来装置では庫外に配置していたアキュームレータから周囲に捨てていた未蒸発冷媒の持つ熱量（冷熱）を回収して、庫内を冷却することができて冷凍機の運転効率が向上する。
〔実施例２〕
図３は本発明の請求項３に対応する応用実施例を示すものである。この実施例においては、商品貯蔵庫１の庫内に画成した３室の商品収納室４Ａ，４Ｂ，４Ｃのうち、コールド専用室である商品収納室４Ａにのみその室内にサクションアキュームレータ１９Ａを配置した上で、各商品収納室の蒸発器８Ａ，８Ｂ，８Ｃから引出した吸入管を一括してアキュームレータ１９Ａに接続し、該アキュームレータを介して圧縮機１１の吸入管路１７に配管するようにしている。
【００１６】
すなわち、コールド専用の商品収納室４Ａに配した蒸発器８Ａは、他の商品収納室４Ｂ，４Ｃとは異なり、販売モードの変更に関係なく冷凍機の保冷運転中は冷媒を供給している。したがって、このコールド専用室にサクションアキュームレータ１９Ａを設置することで、他の商品収納室でホット商品を販売している場合でも、他の室に熱的な影響を及ぼすことなく液バック防止と未蒸発冷媒の熱回収を行うことができる。
〔実施例３〕
図４は本発明の請求項４〜６に対応する実施例を示すものである。この実施例においては、図９，図１０の従来装置と同様に庫外側に配置したコンデンシングユニットに搭載して圧縮機１１の吸入管路１７に接続した第１のサクションアキュームレータ１８と、該アキュームレータ１８とは別に、商品貯蔵庫１の中央に仕切られた商品収納室４Ｂの室内に配置して蒸発器８Ｂに接続した第２のサクションアキュームレータ１９Ｂを備え、商品収納室４Ｂの保冷運転状態で蒸発器８Ｂから流出する未蒸発冷媒をアキュームレータ１９Ｂにて気液分離し、その液冷媒の持つ熱量を回収して商品収納室８Ｂを冷却するようにしている。
【００１７】
すなわち、左右の商品収納室４Ｂと４Ｃの間に挟まれた中室の商品収納室４Ｂは、Ｃ−Ｃ−Ｈ運転モードでは庫内がヒータ加温される商品収納室４Ｃ側から仕切壁を伝熱して熱が侵入するが、逆にＣ−Ｃ−Ｃの運転モードでは仕切壁を通して左右の室から冷却されるために冷凍負荷が低下するなど、販売モードの切換えに伴う負荷変動が大きくなり、特にＣ−Ｃ−Ｃの運転モードでは冷凍負荷の低下に伴い商品収納室４Ｂの蒸発器８Ｂには未蒸発の冷媒が生じ易くなる。
そこで、中央の商品収納室４Ｂを特定の商品収納室に指定して、ここに第２のサクションアキュームレータ１９Ｂを配置することにより、冷凍機の保冷運転中に蒸発器から流出する未蒸発冷媒を気液分離し、かつ庫内空気と熱交換させることでエネルギー回収を有効に行うことができる。なお、商品貯蔵室１の左右端に画成した商品収納室４Ａ，４Ｃは、中央の商品収納室４Ｂに比べて冷凍負荷の変動が小さく、定常の保冷運転では未蒸発冷媒は殆ど生じなく、また未蒸発の冷媒が流出しても、第１のサクションアキュームレータ１８に取り込まれて気液分離されるので液バックのおそれはなく圧縮機１１を保護できる。
【００１８】
次に、実施例１，実施例２で商品貯蔵庫１の庫内に配置したサクションアキュームレータについての具体的な構造，および配置例を図５〜図８で説明する。
まず、図５は本発明の請求項６に対応するサクションアキュームレータの構成図であり、図示例のサクションアキュームレータ１９では、気液分離した液冷媒と庫内空気との熱交換を促進させるために、アキュームレータのシェル外周面にフィン１９ａを設けている。なお、９ｂは取付脚である。
また、前記のサクションアキュームレータ１９を商品収納室内に設置するに当たっては、図２（ａ），（ｂ）  のように商品収納室の庫内底部に配備した冷却ユニット１０に組み合わせ、該冷却ユニット１０を経由して庫内に循環送風される庫内空気の通風路に配置して熱交換を効果的に行うようにしている。
【００１９】
ここで、図６は本発明の請求項８に対応する実施例を示し、サクションアキュームレータ１９は、冷却ユニット１０の風胴内で庫内空気の流入口１０ａに近い蒸発器８（フィンチューブ形蒸発器）の上流側（空気吸込側）の空間１０ｂに収容されている。なお、２０は冷却・加熱ユニットに適用する庫内加熱用のヒータであり、該ヒータ２０は通常は蒸発器８と風胴の出口側に設けた庫内ファン９との間の空間に配置されている。この配置によりサクションアキュームレータ１９には、庫内を循環通風して昇温した状態で冷却ユニット１０に戻ってきた庫内空気が流れるので、アキュームレータのシェル内に溜まっている液冷媒と効率よく熱交換を行うことができる。また、蒸発器８への冷媒供給を停止し、ヒータ２０に通電しているホット運転の状態でも、アキュームレータはヒータ２０から離れていて直接加熱されることがないので、シェル，フィンのろう付け箇所が加熱されて剥離するようなおそれもない。
【００２０】
なお、冷却ユニット１０の風胴内で、蒸発器１０の上流側に設置スペースが確保できない場合には、図７のように蒸発器８と庫内ファン９との間の空間（但し、ヒータ２０（図６参照）はない）に配置するか、あるいは図８（ａ），（ｂ）  で示すように冷却ユニット１０の風胴外に並置して庫内ファン９の吐出側に配置するようにしてよい。なお、アキュームレータ１９からの熱回収効率面では、図７のように蒸発器８の上流側に配置するのが図７，図８に比べて効率がよい。
【００２１】
【発明の効果】
以上述べたように、本発明によれば、商品貯蔵庫の庫内を複数の商品収納室に仕切り、各商品収納室ごとに冷凍機の蒸発器とファンを組み合わせた冷却ユニットを配備して室内の収納商品を保冷する自動販売機の庫内冷却装置であり、各商品収納室に配した蒸発器を庫外側に配置した冷凍機のコンデンシングユニットに並列接続して冷凍サイクルを構成し、各商品収納室の販売モードに合わせてコンデンシングユニットから電磁弁，キャピラリチューブを経て蒸発器に冷媒を供給するようにしたものにおいて、液バック防止手段として圧縮機の吸入管路に接続するサクションアキュームレータを商品貯蔵庫の庫内側に配置し、アキュームレータで気液分離した未蒸発冷媒の保有する熱量（冷熱）を庫内空気との熱交換により回収して庫内を冷却するようにしたことにより、
圧縮機への液バックを防止するサクションアキュームレータ本来の機能を確保しつつ、従来の庫内冷却装置のようにサクションアキュームレータを庫外側に配置し、ここで気液分離した液冷媒の保有する熱量を周囲に捨てていた方式と比べて、エネルギーロスを低減して冷凍機の運転効率を向上できる。
【図面の簡単な説明】
【図１】本発明の実施例１に係る庫内冷却装置の冷凍サイクル図
【図２】図１の庫内冷却装置を搭載した自動販売機の構成図で、（ａ），（ｂ）  はそれぞれ正面図，および側視断面図
【図３】本発明の実施例２に係る庫内冷却装置の冷凍サイクル図
【図４】本発明の実施例３に係る庫内冷却装置の冷凍サイクル図
【図５】商品貯蔵庫の庫内側に配置するサクションアキュームレータの構成図
【図６】図５のサクションアキュームレータを冷却ユニットの風胴内部に組み込んだ実施例の略示構成図
【図７】図６の応用実施例の略示構成図
【図８】図７と異なる応用実施例の構成図で、（ａ），（ｂ）  はそれぞれ側視図，および外観斜視図
【図９】従来の庫内冷却装置を搭載した自動販売機の構成図で、（ａ），（ｂ）  はそれぞれ正面図，および側視断面図
【図１０】図９における庫内冷却装置の冷凍サイクル図
【符号の説明】
１    自動販売機の商品貯蔵庫
４Ａ  商品収納室（コールド専用室）
４Ｂ  商品収納室（中室）
４Ｃ  商品収納室
５    商品収納ラック
８，８Ａ，８Ｂ，８Ｃ  蒸発器
９    庫内ファン
１０    冷却ユニット
１１    圧縮機
１２    凝縮器
１３    庫内ファン
１４    コンデンシングユニット
１５Ａ，１５Ｂ．１５Ｃ      電磁弁
１６    キャピラリチューブ
１７    吸入管路
１８    サクションアキュームレータ
１９，１９Ａ，１９Ｂ，１９Ｃ  庫内側のサクションアキュームレータ
【図１】
2004280753.tif 000003
【図２】
2004280753.tif 000004
【図３】
2004280753.tif 000005
【図４】
2004280753.tif 000006
【図５】
2004280753.tif 000007
【図６】
2004280753.tif 000008
【図７】
2004280753.tif 000009
【図８】
2004280753.tif 000010
【図９】
2004280753.tif 000011
【図１０】
2004280753.tif 000012